(57)【要約】【課題】  １ページ分の画像データについて同じページメモリ部を複数回使用する際、必要なメモリ量を少なくする。【解決手段】  画像入力部３は画像データを入力する。バンド化部５は画像データの複数ライン毎を１バンドにする。ページメモリ部９は、画像データの１ページ分に必要な必要記憶領域と１個の追加バンド分の追加記憶領域を確保する。第１の処理部７は画像データに第１の処理をする。第２の処理部７は第１の処理がされた画像データに第２の処理をする。メモリ制御部１７は、第１の処理のなされた画像データをページメモリ部９先頭より記憶する。メモリ制御部１７は、記憶画像データを読み出して第２の処理をなし、既記憶画像データに連続記憶して、記録に用いるバンドが追加記憶領域に達したとき、ページメモリ部９の先頭に戻って記憶する。【選択図】  図１
2011171788.tif 000002
【特許請求の範囲】
【請求項１】
画像データが入力される画像入力部と、
順次入力される前記画像データについて先頭の副走査ラインから所定の複数ライン毎を１個のバンドとするバンド化部と、
前記画像データの１ページ分に必要なバンド数分の必要記憶領域および１個の追加バンド分の追加記憶領域が確保されたページメモリ部と、
バンド化された前記画像データに対して所定の第１の処理をする第１の処理部と、
前記第１の処理がされたバンド単位の前記画像データに対して所定の第２の処理をする第２の処理部と、
前記第１の処理のなされた先頭バンドに係る前記画像データから前記ページメモリ部先頭より順次記憶制御し、既に記憶されたバンド毎の前記画像データを前記第２の処理用に読み出し制御し、前記第２の処理のなされた前記バンド毎の前記画像データを、前記第１の処理のなされた前記画像データに続けて順次記憶制御して記録に用いる前記バンドが前記追加記憶領域に達したとき、前記ページメモリ部の先頭に戻って順次記憶制御するメモリ制御部と、
を具備することを特徴とするメモリ制御装置。
【請求項２】
前記ページメモリ部は、前記画像データに対する前記第１の処理によって形成される１バンド分の最大容量を前記追加記憶領域として設定してなる請求項１記載のメモリ制御装置。
【請求項３】
前記第１および第２の処理は、前記画像データに対する画像検出処理、画像加工処理若しくは圧縮処理である請求項１又は２記載のメモリ制御装置。
【請求項４】
前記１〜３いずれか１項記載のメモリ制御装置と、少なくとも前記メモリ制御装置から得られた前記画像データに基づき画像形成する画像形成部と、を具備する画像形成装置。
【請求項５】
画像形成用の画像データを入力する画像入力工程と、
順次入力される前記画像データについて先頭の副走査ラインから所定の複数ライン毎を１個のバンドとするバンド化工程と、
バンド化された前記画像データに対して所定の第１の処理をする第１の処理工程と、
画像データの１ページ分に必要なバンド数分の必要記憶領域および１個の追加バンド分の追加記憶領域が確保されたページメモリ部に対し、前記第１の処理のなされた先頭バンドに係る前記画像データから前記ページメモリ部先頭より順次記憶する第１の記憶工程と、
前記ページメモリ部から読み出したバンド毎の前記画像データに対し、所定の第２の処理をする第２の処理工程と、
前記第２の処理のなされたバンド毎の前記画像データを、前記第１の処理のなされた前記画像データに続けて順次記憶して記録に用いる前記バンドが前記追加記憶領域に達したとき、前記ページメモリ部の先頭に戻って順次記憶する第２の記憶工程と、
を具備することを特徴とするメモリ制御方法。
【請求項６】
前記ページメモリ部は、前記画像データに対する前記第１の処理によって形成される１バンド分の最大容量を前記追加記憶領域として設定する請求項５記載のメモリ制御方法。
【請求項７】
前記第１および第２の処理は、前記画像データに対する画像検出処理、画像加工処理若しくは圧縮処理である請求項５又は６記載のメモリ制御方法。
【発明の詳細な説明】
【技術分野】
【０００１】
本発明はメモリ制御装置、画像形成装置およびメモリ制御方法に係り、例えば複写機、ファクシミリ機、プリンタ又はこれらの機能を搭載した複合機（ＭＦＰ：Multi Function Peripheral）等の画像形成装置に用いて好適するメモリ制御装置、当該画像形成装置およびメモリ制御方法の改良に関する。
【背景技術】
【０００２】
この種の画像形成装置は、給紙段から用紙を選択して搬送する一方、原稿から読み取った画像データに基づき感光体ドラムの表面に潜像を形成し、トナーによってその潜像にトナー像を形成し、その感光体ドラムからその搬送用紙にトナー像を転写させ、そのトナー像を用紙に定着させて排紙する構成が良く知られている。
【０００３】
しかも、画像形成装置では、読み取った画像データの濃度やカラー／モノクロの判別処理をしたり、その画像データを一次的に記憶するページメモリの記憶容量を軽減する観点から、画像データの圧縮処理等を行ってからトナー像を形成する一方、一度、判別処理や圧縮処理等をした画像データをページメモリに記憶してから、再度、別の画像処理や圧縮処理等を施してページメモリに再記憶させる場合がある。
【０００４】
ところが、種々の画像処理や圧縮処理を行う都度、個別のページメモリを用意して画像データを記憶させると、比較的多くのページメモリが必要になるから、メモリ容量を節約する観点から工夫が必要である。
【０００５】
これに対応するために、例えば特開平４−３３２２５９号公報（特許文献１）のファクシミリ機のコピー制御方式が提供されている。
【０００６】
この特許文献１は、読取部の読取速度および記録部の記録速度に基づいて決定された領域でメモリを複数のブロックに分割し、この分割したブロックに順次繰り返してアクセスできるようにメモリのアドレスが格納されたテーブルにより、複数のブロックからなるリングバッファをメモリ内に構成し、このテーブルに格納されたアドレスに基づいてブロック単位に情報を転送するように第１の情報転送手段を制御し、メモリの少なくとも１つのブロックに格納されている情報をテーブルに格納されたアドレスに基づいてブロック単位に情報を転送するように第２の情報転送手段を制御する構成を有し、それら第１および第２の転送手段を並行に動作させてメモリ上に残す情報量を少なくしてメモリを節約できるようにしたものである。
【０００７】
また、特開２００２−８４４０５号公報（特許文献２）の画像処理装置が提供されている。
【０００８】
この特許文献２は、原稿の画像を読み取ってディジタル画像データを生成する原稿画像読取部と、圧縮した画像データを記憶するための画像データメモリと、画像データに所定の処理を施して出力する画像データ処理部とを備え、その画像データ処理部が、同一原稿に対して複数回の処理を行う場合に少なくとも最初の原稿画像読取り結果に基づいて画像データメモリにおける圧縮画像データ記憶領域の割り当てを行うメモリ設定部を備え、原稿の内容に応じてメモリの使用効率および性能の向上を図れるようにしたものである。
【０００９】
さらに、特開２００２−１４２０８８号公報（特許文献３）の画像記録装置も提供されている。
【００１０】
この特許文献３は、複数の画像記録モードにそれぞれ対応する複数の画像データ入力手段と、それら複数の画像記録モードのうちのいずれかの画像記録モードに設定するモード切換設定手段と、ページメモリを複数の画像記録モードで共用し、複数の画像記録モードのうちのモード切換設定手段で設定されているモードに対応する画像データ入力手段から得られる記録対象画像データの画像記録手段による記録出力を行う構成を有し、複数の画像記録モードでの画像記録が単一のページメモリで行えるようにしたものである。
【先行技術文献】
【特許文献】
【００１１】
【特許文献１】特開平４−３３２２５９号公報
【特許文献２】特開２００２−８４４０５号公報
【特許文献３】特開２００２−１４２０８８号公報
【発明の概要】
【発明が解決しようとする課題】
【００１２】
しかし、上述した特許文献１では、個別のページメモリの再利用に関するものであり、１枚の原稿に係る画像データで複数のページメモリが必要な場合に、同一のページメモリを再利用する構成を開示するものではなく、ページメモリの節約には限界がある。
【００１３】
また、特許文献２では、原稿内容に応じて画像読取り回数を減らしてメモリの使用効率および性能の向上を図るものであり、同じようにメモリの記憶領域の節約を図るには更なる工夫が必要である。
【００１４】
さらに、特許文献３は、各画像記録モード毎に個別にページメモリを備える必要をなくしてコスト低減を図るものであり、個々の画像記録モードにおけるページメモリを節約するものではなく、同様に改善の余地がある。
【００１５】
本発明はそのような課題を解決するためになされたもので、同一ページ内の画像データに対する処理をする際に、複数のページメモリを必要とする場合、同一のページメモリの再利用が可能で、コストアップを抑えることの容易なメモリ制御装置、画像形成装置およびメモリ制御方法の提供を目的とする。
【課題を解決するための手段】
【００１６】
そのような課題を解決するために本発明の請求項１に係るメモリ制御装置は、画像データが入力される画像入力部と、順次入力される画像データについて先頭の副走査ラインから所定の複数ライン毎を１個のバンドとするバンド化部と、その画像データの１ページ分に必要なバンド数分の必要記憶領域および１個の追加バンド分の追加記憶領域が確保されたページメモリ部と、バンド化された画像データに対して所定の第１の処理をする第１の処理部と、その第１の処理がされたバンド単位の画像データに対して所定の第２の処理をする第２の処理部と、その第１の処理のなされた先頭バンドに係る画像データからページメモリ部先頭より順次記憶制御し、既に記憶されたバンド毎の画像データを第２の処理用に読み出し制御し、その第２の処理のなされたバンド毎の画像データを、その第１の処理のなされた画像データに続けて順次記憶制御して記録に用いるバンドが追加記憶領域に達したとき、そのページメモリ部の先頭に戻って順次記憶制御するメモリ制御部と、を具備している。
【００１７】
本発明の請求項２に係るメモリ制御装置は、上記ページメモリ部が、その画像データに対する第１の処理によって形成される１バンド分の最大容量を上記追加記憶領域として設定されてなる構成である。
【００１８】
本発明の請求項３に係るメモリ制御装置は、上記第１および第２の処理が、その画像データに対する画像検出処理、画像加工処理又は圧縮処理である構成を有している。
【００１９】
本発明の請求項４に係る画像形成装置は、上記１〜３いずれか１項記載のメモリ制御装置と、少なくともそのメモリ制御装置から得られた画像データに基づき画像形成する画像形成部とを具備している。
【００２０】
本発明の請求項５に係るメモリ制御方法は、画像形成用の画像データを入力する画像入力工程と、順次入力される画像データについて先頭の副走査ラインから所定の複数ライン毎を１個のバンドとするバンド化工程と、バンド化された画像データに対して所定の第１の処理をする第１の処理工程と、画像データの１ページ分に必要なバンド数分の必要記憶領域および１個の追加バンド分の追加記憶領域が確保されたページメモリ部に対し、その第１の処理のなされた先頭バンドに係る画像データからページメモリ部先頭より順次記憶する第１の記憶工程と、そのページメモリ部から読み出したバンド毎の画像データに対し、所定の第２の処理をする第２の処理工程と、その第２の処理のなされたバンド毎の画像データを、その第１の処理のなされた画像データに続けて順次記憶制御して記録に用いるバンドが追加記憶領域に達したとき、そのページメモリ部の先頭に戻って順次記憶制御する第２の記憶工程と、を具備している。
【００２１】
本発明の請求項６に係るメモリ制御方法は、上記ページメモリ部が、その画像データに対する第１の処理によって形成される１バンド分の最大容量を上記追加記憶領域として設定する構成である。
【００２２】
本発明の請求項７に係るメモリ制御方法は、上記第１および第２の処理が、その画像データに対する画像検出処理、画像加工処理又は圧縮処理である構成を有している。
【発明の効果】
【００２３】
このような本発明の請求項１、５に係るメモリ制御装置およびメモリ制御方法では、画像形成用に順次入力された画像データについて先頭の副走査ラインから所定の複数ライン毎を１個のバンド化し、バンド化された画像データに対して所定の第１の処理をし、画像データの１ページ分に必要なバンド数分の必要記憶領域および１個の追加バンド分の追加記憶領域が確保されたページメモリ部に対し、その第１の処理のなされた先頭のバンドに係る画像データからページメモリ部先頭より順次記憶し、そのページメモリ部から読み出したバンド毎の画像データに対し、所定の第２の処理をし、その第２の処理のなされたバンド毎の画像データを、その第１の処理のなされた画像データに続けて順次記憶制御して記録に用いるバンドが追加記憶領域に達したとき、そのページメモリ部の先頭に戻って順次記憶制御するから、同一ページ内の画像データに対する処理をする際、複数のページメモリを必要とする場合でも、同一のページメモリの再利用が可能で、コストアップも抑えることが容易になる。
【００２４】
本発明の請求項２、６に係るメモリ制御装置およびメモリ制御方法は、上記ページメモリ部における追加記憶領域が、その画像データに対する第１の処理によって形成される１バンド分の最大容量に設定されてなるから、同一ページ内の画像データの記憶容量を確実に確保しつつ、同一のページメモリの再利用が容易である。
【００２５】
本発明の請求項３、７に係るメモリ制御装置およびメモリ制御方法は、上記第１および第２の処理が、その画像データに対する画像検出処理、画像加工処理又は圧縮処理であるから、画像形成装置向けの画像処理を確保しつつ、同一のページメモリの再利用が容易である。
【図面の簡単な説明】
【００２６】
【図１】本発明に係るメモリ制御装置を含む画像形成装置の実施の形態を示す概略ブロック図である。
【図２】本発明に係るメモリ制御装置の動作を説明する図である。
【図３】本発明に係るメモリ制御装置の動作を説明するフローチャートである。
【図４】本発明に係るメモリ制御装置の動作を説明する図である。
【発明を実施するための最良の形態】
【００２７】
以下、本発明に係るメモリ制御装置、画像形成装置およびメモリ制御方法の実施の形態を図面を参照して説明する。なお、本発明に係るメモリ制御装置およびメモリ制御方法は本発明に係る画像形成装置を説明する過程で説明する。
【００２８】
図１において、画像形成装置Ａは、主制御部１を中心にして画像入力部３、バンド化部５、画像データ処理部７、ページメモリ部９、操作パネル部１１、主記憶部１３および印刷部１５を有し、例えば複合機を構成している。なお、画像形成装置Ａは、これ以外の構成を有するが、本発明の要旨ではないので説明および図示を省略する。
【００２９】
画像入力部３は、主制御部１の制御の下、例えば印刷された原稿から画像をラインセンサにより、光学的読取ラインである副走査方向の先頭ラインからライン毎に読取って電子的画像データを生成する公知のスキャナ部であり、読み取られたライン毎の画像データを主制御部１に出力する機能を有している。
【００３０】
バンド化部５は、主制御部１の制御の下、画像入力部３からのライン毎の画像データについて、順次、副走査方向の先頭ラインから複数ライン（例えば２５０ライン）毎を１個のバンドとしてバンド化し、バンド毎に画像データを出力する機能を有している。
【００３１】
画像データ処理部７は、バンド化されたそれら画像データに対して所定の第１の処理、例えば画像データに対する濃度やカラー／モノクロの判別処理等の画像検出処理、これらの処理をした画像データを所定のファイル形式（ＪＰＥＧ：Joint Photographic Experts Group）に圧縮処理し、ページメモリ部９に出力する機能を有し、その第１の処理がされたバンド単位の画像データをページメモリ部９から入力して所定の第２の処理、例えば画像データの変倍処理やフィルタ処理等の画像処理、それらの処理をした画像データを更に所定のファイル形式（ＪＰＥＧ）に圧縮処理し、ページメモリ部９に再度出力する機能を有している。
【００３２】
画像データ処理部７は、その第２の処理がされたバンド単位の画像データをページメモリ部９から入力して所定の第３の処理、例えば画像データの２値化等の画像処理、それらの処理をした画像データを更にファイル形式（ＪＰＥＧ）に圧縮処理し、主記憶部１３に出力する機能を有している。
【００３３】
すなわち、画像データ処理部７は、バンド化された画像データに対して第１の処理をしてページメモリ部９に出力する第１の処理部、更にその第１の処理がされたバンド単位の画像データを入力して第２の処理をしてページメモリ部９に出力する第２の処理部としての機能を有するとともに、その第２の処理がされたバンド単位の画像データを入力して第３の処理をして主記憶部１３に出力する機能を有している。
【００３４】
ページメモリ部９は、図２に示すように、画像データの１ページ分に必要なバンド数分の必要記憶領域Ｍおよび１個の追加バンド分の追加記憶領域ｍが確保された例えば半導体メモリ（ＲＡＭ：random access memory）の一部であり、主制御部１の制御の下、１ページ分の画像データについてバンド毎に読み書き可能に形成されている。
【００３５】
ページメモリ部９における１バンド分の容量は、画像データに対する第１の処理によって形成される１バンド分の最大容量に設定されている。
【００３６】
すなわち、ページメモリ部９は、第１の処理のなされた画像データを画像データ処理部７からバンド毎に入力して記憶し、第２の処理用に画像データを画像データ処理部７へバンド毎に出力し、第２の処理のなされた画像データを画像データ処理部７からバンド毎に再度入力して記憶するとともに、第３の処理用に画像データを画像データ処理部７へ出力する機能を有している。
【００３７】
図２は、ある１ページ分の画像データにおいてバンド毎の画像データ（１）〜（１４）が記憶された状態を示すものであり、同図Ａは、圧縮率の良好なバンド毎の画像データ（１）〜（１４）が記憶された状態を、同図Ｂは、圧縮率の良好な次ページ分の画像データ（１）〜（１４）が前ページ分の画像データ（１）〜（１４）に連続して記憶された状態を示すものである。図２では、２ページ分の全バンドがページメモリ部９の必要記憶領域Ｍに記憶されている。
【００３８】
操作パネル部１１は、画像形成装置Ａの本体ケース（図示せず。）の上部に配置され、画像形成装置Ａの動作状態を表示する表示部として機能するとともに、印刷する印刷媒体である用紙の選択、印刷の開始（再開）又は中止、印刷部数等の指示入力部としての機能を有しており、主制御部１によって制御される。
【００３９】
主記憶部１３は、主制御部１の制御の下、ページメモリ部１１からの画像データを読み書き可能に形成されるとともに、主制御部１の動作プログラム等を記憶する例えばハードディスクである。
【００４０】
印刷部１５は、操作パネル部１１からの指示により、主制御部１の制御の下、複数の給紙段から用紙を選択して搬送し、主記憶部１３から読み出した画像データに基づき感光体ドラムの表面に潜像を形成し、現像装置からのトナーによってその潜像をトナー像とする画像形成を行う画像形成部として機能し、その感光体ドラムからその搬送用紙にトナー像を転写させ、そのトナー像を用紙に定着させて排紙する構成を有している。
【００４１】
主制御部１は、ＣＰＵ、このＣＰＵの動作プログラムを格納したＲＯＭおよび作業用ＲＡＭ（何れも図示せず。）を有して形成されており、上述し画像入力部３、バンド化部５、画像データ処理部７、ページメモリ部９、操作パネル部１１、主記憶部１３および印刷部１５等を制御するとともに、画像データ処理部７およびページメモリ部９を制御するメモリ制御部１７としての機能を有している。
【００４２】
メモリ制御部１７は、第１の処理のなされた先頭のバンドに係る画像データからページメモリ部９の先頭よりページメモリ部９の必要記憶領域Ｍに順次記憶制御し、既に記憶されたバンド毎の画像データを第２の処理用に読み出し制御し、その第２の処理のなされたバンド毎の画像データを、その第１の処理のなされた画像データの後に連続して順次記憶制御し、記録に用いるバンドが追加記憶領域ｍに達したとき、同じページメモリ部９の先頭に戻って順次追記制御し、第２の処理のなされた画像データを第３の処理用に読み出し制御する機能を有している。
【００４３】
次に、本発明に係る画像形成装置（メモリ制御装置）Ａの動作を図３のフローチャートを参照して簡単に説明する。
【００４４】
本発明に係るプログラムが起動し、ステップＳ１にて画像入力部（スキャナ部）３が原稿から画像データを順次読み取って主制御部１を介してバンド化部５に出力し（画像入力工程）、ステップＳ２にてバンド化部５が副走査方向の先頭ラインから毎２５０ライン毎を１バンドとして画像データをバンド化し（バンド化工程）、バンド毎に画像データを出力する。
【００４５】
続くステップＳ３にて画像データ処理部７がバンド化された画像データに対して濃度やカラー／モノクロの判別処理等の画像検出処理を行い（第１の処理工程）、ステップＳ４にて画像データ処理部７がそれらの処理をした画像データを圧縮処理して出力し（第１の処理工程）、ステップＳ５に移る。
【００４６】
ステップＳ５では、図４Ａに示すように、メモリ制御部１７が第１の処理のなされたバンドに係る画像データ（１）〜（１３）をページメモリ部９の先頭より必要記憶領域Ｍに順次記憶制御してステップＳ６に移る（第１の記憶工程）。
【００４７】
ステップＳ６ではメモリ制御部１７が第１の処理のなされた画像データを第２の処理用に読み出し、画像データ処理部７が第１の処理がされたバンド単位の画像データに対して変倍処理やフィルタ処理等の第２の画像処理をするとともに（第２の処理工程）、ステップＳ７にて画像データ処理部７が画像データを更に圧縮処理し（第２の処理工程）、ステップＳ８に移る。
【００４８】
ステップＳ８ではメモリ制御部１７が第２の処理のなされたバンド毎の画像データを、第１の処理のなされた画像データの後に連続して順次記憶制御し（第２の記憶工程）、ステップＳ９に移って追加記憶領域ｍに達したか判別する（判別工程）。
【００４９】
記憶する画像データが追加記憶領域ｍに達せずにステップＳ９がＮＯであれば、ステップＳ１０にて同じページメモリ部９において第１の処理のされた画像データの後に連続して順次記憶する（第２の記憶工程）。
【００５０】
すなわち、図４Ｂに示すように、第２の処理のなされた先頭バンドの画像データ（１）が記憶されても追加記憶領域に達しないとき、同図Ｃに示すように、画像データ（２）が連続して記憶される。
【００５１】
記憶する画像データが追加記憶領域ｍに達してステップＳ９がＹＥＳであったりＹＥＳになれば、ステップＳ１１にて同じページメモリ部９の先頭に戻って順次追記制御してステップＳ１２に移る（第２の記憶工程）。
【００５２】
第２の処理のなされた画像データ（２）が記憶されて追加記憶領域ｍに達したとき、同図Ｄに示すように、画像データ（３）が同じページメモリ部９の必要記憶領域Ｍに戻って記憶される。
【００５３】
ステップＳ１２にてメモリ制御部１７が第２の処理のなされた画像データを第３の処理用に読み出し、画像データ処理部７が第２の処理がされたバンド単位の画像データに対して２値化処理をし（第３の処理工程）、ステップＳ１４にて画像データ処理部７が画像データを更に圧縮処理し（第３の処理工程）、主記憶部（ハードディスク）１３に格納して終了する。
【００５４】
このような処理過程が本発明のメモリ制御方法を構成する。
【００５５】
このように本発明に係るメモリ制御装置は、画像データが入力される画像入力部３と、順次入力される画像データについて先頭の副走査ラインから所定の複数ライン毎を１個のバンドとするバンド化部５と、その画像データの１ページ分に必要なバンド数分の必要記憶領域Ｍおよび１個の追加バンド分の追加記憶領域ｍが確保されたページメモリ部９と、バンド化された画像データに対して所定の第１の処理をする画像データ処理部（第１の処理部）７と、その第１の処理がされたバンド単位の画像データに対して所定の第２の処理をする画像データ処理部（第２の処理部）７と、その第１の処理のなされた先頭のバンドに係る画像データからページメモリ部９の必要記憶領域Ｍにて先頭より順次記憶制御し、既に記憶されたバンド毎の画像データを第２の処理用に読み出し制御し、その第２の処理のなされたバンド毎の画像データを、その第１の処理のなされた画像データに続けて順次記憶制御して記録に用いるバンドが追加記憶領域ｍに達したとき、そのページメモリ部９の必要記憶領域Ｍの先頭に戻って順次記憶制御するメモリ制御部１７と、を具備している。
【００５６】
そのため、ページメモリ部９が、メモリ領域確保時に、１バンド分余分に確保されていれば、スキャナ部としての画像入力部３から取得した画像データについて、第１の処理をして記憶後に第２の処理をして再記憶する際、続きのアドレスから記憶し、余分に確保した追加記憶領域ｍに画像データの記憶が達した時点で、次のバンドの画像データからページメモリ部９の必要記憶領域Ｍにて先頭バンドに戻って上書き記憶させることが可能となる。
【００５７】
従って、ページメモリ部９を複数回使用する場合、同じページメモリ部９の再利用が容易で、システムとして必要なメモリ量を少なくするとともに、コストアップを抑えることが可能である。
【００５８】
しかも、上記ページメモリ部９が、追記記憶領域ｍとして、その画像データに対する第１の処理によって形成される１バンド分の最大容量を割当てるとともに、それら第１および第２の処理が、その画像データに対する画像検出処理、画像加工処理又は圧縮処理であるから、同一ページ内の画像データの記憶容量の確実な確保および画像形成装置向けの画像処理を確保しつつ、同一のページメモリ部９の再利用が容易である。
【００５９】
なお、本発明に係る画像形成装置Ａおよびメモリ制御方法は、上述したメモリ制御装置と同様な効果を有する。
【符号の説明】
【００６０】
１  主制御部
３  画像入力部（スキャナ部）
５  バンド化部
７  画像データ処理部（第１の処理部、第２の処理部）
９  ページメモリ部（ＲＡＭ）
１１  操作パネル部（表示部、入力部）
１３  主記憶部（ハードディスク）
１５  印刷部（画像形成部）
１７  メモリ制御部（主制御部）
Ａ  画像形成装置
Ｍ  必要記憶領域
ｍ  追加記憶領域
【図１】
2011171788.tif 000003
【図２】
2011171788.tif 000004
【図３】
2011171788.tif 000005
【図４】
2011171788.tif 000006